(57)【要約】      （修正有）【課題】端末内部に蓄積されているコンテンツの一部のみが更新されている場合、更新されたコンテンツを、端末の低消費電力化を考慮しつつ、効率的に受信させる。【解決手段】放送コンテンツ送出装置１０は、放送コンテンツを構成しているオブジェクト一覧などを含む番組情報を生成する番組情報生成装置と、前記各オブジェクトをオブジェクト放送時刻に基づいて繰り返し送信する一方、前記番組情報を所定の送信時刻に送信するコンテンツ送出制御装置１２とを備え、前記放送コンテンツを構成しているオブジェクトの追加、削除又は更新が発生した場合、当該放送コンテンツの番組情報を更新し、前記オブジェクトが更新されたことを、対応する前記オブジェクト版数情報を更新することによって放送コンテンツ受信装置に通知し、前記オブジェクトが追加または削除されたことを、前記オブジェクト一覧を更新することによって放送コンテンツ受信装置に通知する。【選択図】図１
2011254410.tif 000002
【特許請求の範囲】
【請求項１】
複数のオブジェクトで構成された放送コンテンツに関して、前記放送コンテンツを構成しているオブジェクト一覧、オブジェクト識別子、オブジェクト版数情報及びオブジェクト放送時刻を含む番組情報を生成する番組情報生成手段と、
前記各オブジェクトをオブジェクト放送時刻に基づいて繰り返し送信する一方、前記番組情報を所定の送信時刻に送信するコンテンツ送出制御手段と、
前記放送コンテンツを構成しているオブジェクトの追加、削除又は更新が発生した場合、当該放送コンテンツの番組情報を更新する更新手段と、を具備し、
前記オブジェクトが更新されたことを、対応する前記オブジェクト版数情報を更新することによって放送コンテンツ受信装置に通知し、
前記オブジェクトが追加または削除されたことを、前記オブジェクト一覧を更新することによって放送コンテンツ受信装置に通知することを特徴とする放送コンテンツ送信装置。
【請求項２】
前記放送コンテンツ送出制御手段は、追加又は更新された最新のオブジェクトから順番に送信することを特徴とする請求項１記載の放送コンテンツ送信装置。
【請求項３】
前記放送コンテンツは、各オブジェクトがコマーシャルメッセージからなる広告オブジェクトで構成された広告放送コンテンツであることを特徴とする請求項１又は請求項２記載の放送コンテンツ送信装置。
【請求項４】
前記放送コンテンツは、各オブジェクトがメディアファイルからなるメディアオブジェクトで構成されたメディアコンテンツであることを特徴とする請求項１又は請求項２記載の放送コンテンツ送信装置。
【請求項５】
前記放送コンテンツは、各オブジェクトが番組情報からなる番組情報オブジェクトで構成された番組情報コンテンツであることを特徴とする請求項１又は請求項２記載の放送コンテンツ送信装置。
【請求項６】
前記番組情報生成手段は、前記番組情報コンテンツ及び前記各番組情報オブジェクトに対応した各コンテンツに関する番組情報をそれぞれ生成し、
前記コンテンツ送出制御手段は、前記番組情報コンテンツに関する番組情報と、前記各番組情報オブジェクトに対応した各コンテンツに関する番組情報とを、それぞれの送信時刻に送信する、ことを特徴とする請求項５記載の放送コンテンツ送信装置。
【請求項７】
放送コンテンツを構成しているオブジェクトのオブジェクト一覧、オブジェクト識別子、オブジェクト版数情報及びオブジェクト放送時刻を含む番組情報を受信すると共に、前記番組情報の前記オブジェクト一覧に含まれたオブジェクトをオブジェクト放送時刻に基づいて受信する受信手段と、
前記受信手段がオブジェクト単位で受信した放送コンテンツ及び当該放送コンテンツに関する番組情報を蓄積するメモリと、
前記メモリに蓄積した最新の番組情報に含まれた前記オブジェクト版数情報から前記オブジェクトの更新を検知し、前記オブジェクト一覧から前記オブジェクトの追加または削除を検知し、前記放送コンテンツを構成している複数のオブジェクトのうち、更新または追加が検知されたオブジェクトだけを当該オブジェクトのオブジェクト放送時刻に受信するように前記受信手段を制御する制御手段と、
を具備したことを特徴とする放送コンテンツ受信装置。
【請求項８】
放送コンテンツ送信装置から更新又は追加されたオブジェクトから順番に送信されている場合、前記受信手段は、前記制御手段の制御の下に、更新又は追加が必要なオブジェクトだけを受信することを特徴とする請求項７記載の放送コンテンツ受信装置。
【請求項９】
前記受信手段は、各オブジェクトが番組情報からなる番組情報オブジェクトで構成された番組情報コンテンツに関する番組情報と、前記各番組情報オブジェクトに対応した各コンテンツに関する番組情報とをそれぞれ受信し、
前記制御手段は、前記番組情報コンテンツに関する番組情報から追加又は更新された番組情報が検知された場合、当該検知された番組情報の送信時刻に基づいて追加又は更新された番組情報を受信するように前記受信手段を制御することを特徴とする請求項７又は請求項８記載の放送コンテンツ受信装置。
【請求項１０】
複数のオブジェクトで構成された放送コンテンツに関して、前記放送コンテンツを構成しているオブジェクト一覧、オブジェクト識別子、オブジェクト版数情報及びオブジェクト放送時刻を含む番組情報を生成する工程と、
前記各オブジェクトをオブジェクト放送時刻に基づいて繰り返し送信する一方、前記番組情報を所定の送信時刻に送信する工程と、
前記放送コンテンツを構成しているオブジェクトの追加、削除又は更新が発生した場合、当該放送コンテンツの番組情報を更新する工程と、を具備し、
前記オブジェクトが更新されたことを、対応する前記オブジェクト版数情報を更新することによって放送コンテンツ受信装置に通知し、
前記オブジェクトが追加または削除されたことを、前記オブジェクト一覧を更新することによって放送コンテンツ受信装置に通知することを特徴とする放送コンテンツ送信方法。
【請求項１１】
放送コンテンツを構成しているオブジェクトのオブジェクト一覧、オブジェクト識別子、オブジェクト版数情報及びオブジェクト放送時刻を含む番組情報を受信すると共に、前記番組情報の前記オブジェクト一覧に含まれたオブジェクトをオブジェクト放送時刻に基づいて受信する工程と、
オブジェクト単位で受信した放送コンテンツ及び当該放送コンテンツに関する番組情報を蓄積する工程と、
前記蓄積した最新の番組情報に含まれた前記オブジェクト版数情報から前記オブジェクトの更新を検知し、前記オブジェクト一覧から前記オブジェクトの追加または削除を検知し、前記放送コンテンツを構成している複数のオブジェクトのうち、更新または追加が検知されたオブジェクトだけを当該オブジェクトのオブジェクト放送時刻に受信するように受信開始時間を制御する工程と、
を具備したことを特徴とする放送コンテンツ受信方法。
【発明の詳細な説明】
【技術分野】
【０００１】
本発明は、複数のオブジェクトで構成されるコンテンツを配信する放送コンテンツ配信システムにおける放送コンテンツ送信装置及び放送コンテンツ受信装置に関する。
【背景技術】
【０００２】
地上デジタル放送において、蓄積型コンテンツの配信に関わる技術が開発されている（例えば、非特許文献１参照）。蓄積型コンテンツはストリーム型コンテンツ配信とは異なり、非リアルタイム形のファイルコンテンツが放送波により配信される。複数の蓄積型ファイル（以下、「オブジェクト」という）から構成されるファイルグループを放送コンテンツと呼ぶこととする。
【０００３】
まず、ユーザ端末などの受信機は放送波あるいは通信波経由で番組情報を受信機にて表示するための情報（以下，番組情報）を取得する。番組情報は，メタデータ（ECGメタデータ，伝送制御メタデータ），FDTインスタンス，マニフェストファイル等により伝送することができる。番組情報には複数のコンテンツの放送時間、複数のコンテンツを識別するための識別子（オブジェクトID、セッションID、MPEG-2  SystemsにおけるPID，コンテンツのURI，コンテンツ放送・視聴・利用可能期間，放送補完期間，性別・年齢・時間・嗜好等視聴者属性等）が記載されている。
【０００４】
次に上記端末を所有するユーザは、上記番組情報から受信したい所望のコンテンツを選択する。コンテンツの選択は、端末上のユーザインタフェースにより行う。端末は、番組情報に記載されている時刻に放送波受信I/Fを起動することにより、選択されたコンテンツを受信して端末へ蓄積する。端末へコンテンツの蓄積を行い、欠損したパケットの補完が完了した時点あるいはパケットの補完を行いながら、ユーザはコンテンツの視聴を行うことができる。
【０００５】
コンテンツの配信にあたって、複数のオブジェクト（コンテンツ）を事前に端末へ配信及び蓄積し、状況に応じて表示するオブジェクトを適宜変更することが可能であれば、より利便性の高いサービスが可能となる。例えば、ユーザの属性（性別・年齢・時間・嗜好等）に応じ、複数のオブジェクトから最適な広告を端末へ表示する事が可能となる。
【先行技術文献】
【非特許文献】
【０００６】
【非特許文献１】ＥＴＳＩ  ＴＳ  １０２  ５９１
【発明の概要】
【発明が解決しようとする課題】
【０００７】
しかしながら、端末に蓄積したコンテンツについてオブジェクトの一部のみが更新された場合、どのオブジェクトが更新されたかを端末に通知する手法が確立されていない。一部のオブジェクトの更新に伴い、コンテンツ全体を再配信・更新することも可能であるが、それでは全てのコンテンツを受信するために端末の消費電力が大きくなるといった問題がある。
【０００８】
本発明は、かかる点に鑑みてなされたものであり、端末内部に蓄積されているコンテンツの一部のみが更新されている場合、更新されたコンテンツを、端末の低消費電力化を考慮しつつ、効率的に受信させることができる放送コンテンツ送信装置、放送コンテンツ受信装置を提供することを目的とする。
【課題を解決するための手段】
【０００９】
本発明に係る放送コンテンツ送信装置は、複数のオブジェクトで構成された放送コンテンツに関して、前記放送コンテンツを構成しているオブジェクト一覧、オブジェクト識別子、オブジェクト版数情報及びオブジェクト放送時刻を含む番組情報を生成する番組情報生成手段と、前記各オブジェクトをオブジェクト放送時刻に基づいて繰り返し送信する一方、前記番組情報を所定の送信時刻に送信するコンテンツ送出制御手段と、前記放送コンテンツを構成しているオブジェクトの追加、削除又は更新が発生した場合、当該放送コンテンツの番組情報を更新する更新手段と、を具備し、前記オブジェクトが更新されたことを、対応する前記オブジェクト版数情報を更新することによって放送コンテンツ受信装置に通知し、前記オブジェクトが追加または削除されたことを、前記オブジェクト一覧を更新することによって放送コンテンツ受信装置に通知することを特徴とする。
【００１０】
この構成によれば、コンテンツを構成するオブジェクトの追加又は削除があればオブジェクト一覧上のオブジェクトを追加又は削除し、変更後の番組情報が送信されるので、変更後の番組情報を受信した放送コンテンツ受信装置では変更後の番組情報からオブジェクトの追加又は削除を検出でき、追加オブジェクトだけをオブジェクト送信時刻に合わせて受信でき、また削除オブジェクトは蓄積コンテンツから削除できる。また、オブジェクトの更新があれば番組情報におけるオブジェクト版数情報を更新し、更新後の番組情報が送信されるので、更新後の番組情報を受信した放送コンテンツ受信装置では更新されたオブジェクトだけを受信して蓄積することができる。
【００１１】
上記放送コンテンツ送信装置において、前記放送コンテンツ送出制御手段は、追加又は更新された最新のオブジェクトから順番に送信することとしても良い。
【００１２】
この構成により、ユーザは追加又は更新されたコンテンツの受信要求が高く、ユーザの要求の高いコンテンツ（オブジェクト）から順番に配信することができる。
【００１３】
前記放送コンテンツは、各オブジェクトがコマーシャルメッセージからなる広告オブジェクトで構成された広告放送コンテンツである。又は、前記放送コンテンツは、各オブジェクトが番組情報からなる番組情報オブジェクトで構成された番組情報コンテンツである。また、前記放送コンテンツは、各オブジェクトがメディアファイルからなるメディアオブジェクトで構成されたメディアコンテンツであっても良い。
【００１４】
上記放送コンテンツ送信装置において、前記番組情報生成手段は、前記番組情報コンテンツ及び前記各番組情報オブジェクトに対応した各コンテンツに関する番組情報をそれぞれ生成し、前記コンテンツ送出制御手段は、前記番組情報コンテンツに関する番組情報と、前記各番組情報オブジェクトに対応した各コンテンツに関する番組情報とを、それぞれの送信時刻に送信する。
【００１５】
この構成により、例えば広告放送コンテンツに関する番組情報の配信に加えて、複数の放送コンテンツに対応して複数の番組情報を配信する必要がある場合に、番組情報の番組情報を配信でき、番組情報の番組情報を受信した端末は追加又は更新されている番組情報だけを選択的に受信できる。また，受信機は，ユーザの要求の高いコンテンツ（オブジェクト）から受信することにより、コンテンツの連続受信が可能となり、不必要な受信機のオン・オフ回数を削減できる。
【００１６】
本発明の放送コンテンツ受信装置は、放送コンテンツを構成しているオブジェクトのオブジェクト一覧、オブジェクト識別子、オブジェクト版数情報及びオブジェクト放送時刻を含む番組情報を受信すると共に、前記番組情報の前記オブジェクト一覧に含まれたオブジェクトをオブジェクト放送時刻に基づいて受信する受信手段と、前記受信手段がオブジェクト単位で受信した放送コンテンツ及び当該放送コンテンツに関する番組情報を蓄積するメモリと、前記メモリに蓄積した最新の番組情報に含まれた前記オブジェクト版数情報から前記オブジェクトの更新を検知し、前記オブジェクト一覧から前記オブジェクトの追加または削除を検知し、前記放送コンテンツを構成している複数のオブジェクトのうち、更新または追加が検知されたオブジェクトだけを当該オブジェクトのオブジェクト放送時刻に受信するように前記受信手段を制御する制御手段と、を具備したことを特徴とする。
【００１７】
この構成により、放送コンテンツを構成している複数のオブジェクトのうち、更新または追加が検知されたオブジェクトだけを当該オブジェクトのオブジェクト放送時刻に受信できるので、端末内部に蓄積されているコンテンツの一部のみが更新されている場合、更新されたコンテンツを、端末の低消費電力化を考慮しつつ、効率的に受信させることができる。
【００１８】
上記放送コンテンツ受信装置において、放送コンテンツ送信装置から更新又は追加されたオブジェクトから順番に送信されている場合、前記受信手段は、前記制御手段の制御の下に、更新又は追加が必要なオブジェクトだけを受信する。
【００１９】
上記放送コンテンツ受信装置において、前記受信手段は、各オブジェクトが番組情報からなる番組情報オブジェクトで構成された番組情報コンテンツに関する番組情報と、前記各番組情報オブジェクトに対応した各コンテンツに関する番組情報とをそれぞれ受信し、前記制御手段は、前記番組情報コンテンツに関する番組情報から追加又は更新された番組情報が検知された場合、当該検知された番組情報の送信時刻に基づいて追加又は更新された番組情報を受信するように前記受信手段を制御する。
【発明の効果】
【００２０】
本発明によれば、端末内部に蓄積されているコンテンツの一部のみが更新されている場合、更新されたコンテンツを、端末の低消費電力化を考慮しつつ、効率的に受信させることができる。
【図面の簡単な説明】
【００２１】
【図１】一実施の形態に係る放送システムの全体図である。
【図２】（ａ）広告放送コンテンツのオブジェクト構成例を示す図、（ｂ）番組情報コンテンツのオブジェクト構成例を示す図である。
【図３】放送受信端末の構成図である。
【図４】４月６日に配信する番組情報の構成例を示す図である。
【図５】４月７日に配信する番組情報の構成例を示す図である。
【図６】オブジェクト（コンテンツ）の生成過程を示す図である。
【図７】オブジェクト（コンテンツ）の他の生成過程を示す図である。
【図８】コンテンツ送出装置における全体の処理フローを示す図である。
【図９】放送受信端末が３月１０日に受信している番組情報を示す図である。
【図１０】オブジェクトの送信順を示す概念図
【図１１】放送受信端末における全体の処理フローを示す図である。
【発明を実施するための形態】
【００２２】
以下、本発明の実施の形態について添付図面を参照して詳細に説明する。
図１は本実施の形態に係る放送システムの全体図である。同図に示すように、本実施の形態の放送システムは、放送コンテンツおよび番組情報を放送する放送コンテンツ送信装置となるコンテンツ送出装置１０と、コンテンツ送出装置１０から送出された放送コンテンツおよび番組情報を受信して蓄積する放送コンテンツ受信装置となる放送受信端末２０と、コンテンツ送出装置１０から送出された放送波又は通信波を放送受信端末２０まで伝送する放送／通信インフラ装置とで構成される。
【００２３】
コンテンツ送出装置１０は、放送コンテンツとなるコンテンツ本体を暗号化及び符号化する暗号化・符号化装置１１、放送コンテンツを構成しているオブジェクトをオブジェクト送信時刻に暗号化及び符号化して送出するコンテンツ送出制御装置１２、コンテンツ送出制御装置１２から送出されたオブジェクト及び番組情報を放送波により送信する放送波送出装置１３Ａ、コンテンツ送出制御装置１２から送出された番組情報を通信波により送信する通信波送出装置１３Ｂを備えている。また、コンテンツ送出装置１０は、放送コンテンツのメタデータ（ECGメタデータ，伝送制御メタデータ）を生成するメタデータ生成装置１４、番組情報の１種であるマニュフェストファイル又はFDTインスタンスを生成するコンテンツ情報生成装置１６を備える。
【００２４】
コンテンツ送出装置１０によって放送される放送コンテンツは、複数の蓄積型ファイルである複数のオブジェクトから構成されるファイルグループである。図１には１つの放送コンテンツが４つのオブジェクト１〜４で構成された例が示されている。
【００２５】
図２（ａ）は広告放送コンテンツのオブジェクト構成例を示している。広告放送コンテンツは、各オブジェクトがコマーシャルメッセージ（ファイル形式）からなる広告オブジェクトで構成されている。コマーシャルメッセージＣＭ-Ａ、ＣＭ-Ｂ、ＣＭ-Ｄはバージョン番号が「Ｖｅｒ．１」であるが、コマーシャルメッセージＣＭ-Ｃだけはバージョン番号が「Ｖｅｒ．２」である。このように、広告オブジェクトはオブジェクト単位でバージョンアップが可能になっている。放送受信端末２０は、コマーシャルメッセージＣＭ-Ａ〜ＣＭ-Ｄを放送波で受信し、メモリへ蓄積して適切なタイミングでユーザへ表示する。
【００２６】
図２（ｂ）は番組情報コンテンツのオブジェクト構成例を示している。番組情報コンテンツは、各オブジェクトがECGからなる番組情報オブジェクトで構成される。番組情報コンテンツが、“番組情報の番組情報”として機能する。個々のECG-A〜ECG-DはECG自体に送信時刻、バージョン番号があり、ECGの追加及び削除もあるので、１つのECG自体をオブジェクトとして扱うことができる。番組情報コンテンツを放送受信端末２０へ配信することで、放送受信端末２０は必要な番組情報だけを受信できるようになり、放送受信端末２０の負荷を軽減できる。
【００２７】
ここで、メタデータ生成装置１４およびコンテンツ情報生成装置１６で生成される番組情報について説明する。
図２（ａ）に示す広告放送コンテンツに関する番組情報は、配信予定のコマーシャルメッセージＣＭ-Ａ〜ＣＭ-Ｄ（オブジェクト）のリストであるオブジェクト一覧、各コマーシャルメッセージＣＭ-Ａ〜ＣＭ-Ｄの識別子、各コマーシャルメッセージＣＭ-Ａ〜ＣＭ-Ｄの版数情報であるバージョン番号、各コマーシャルメッセージＣＭ-Ａ〜ＣＭ-Ｄの放送時刻，各コマーシャルメッセージＣＭ-Ａ〜ＣＭ-ＤオブジェクトのURIを含んで構成される。メタデータ生成装置１４は、コマーシャルメッセージＣＭ-Ａ〜ＣＭ-Ｄへ予め設定されている付加情報や，オブジェクトID、セッションID、MPEG-2  SystemsにおけるPID，コンテンツのURI，コンテンツ放送・視聴・利用可能期間，放送補完期間，性別・年齢・時間・嗜好等の視聴者属性，放送局やコンテンツプロバイダの要求条件から番組情報を生成している。
【００２８】
図２（ｂ）に示す番組情報コンテンツに関する番組情報は、メタデータ生成装置１４で生成された個々の番組情報オブジェクトECG-A〜ECG-Dのリストである番組情報オブジェクト一覧と、各ECG-A〜ECG-Dの識別子、各ECG-A〜ECG-Dの版数情報であるバージョン番号、各ECG-A〜ECG-Dの放送時刻，各ECG-A〜ECG-DのオブジェクトID、セッションID、MPEG-2  SystemsにおけるPID，コンテンツのURI，コンテンツ放送・視聴・利用可能期間，放送補完期間，性別・年齢・時間・嗜好等の視聴者属性のうちの複数あるいは一部を含み構成される。コンテンツ情報生成装置１６は、メタデータ生成装置１４で生成された個々の番組情報オブジェクトECG-A〜ECG-Dの付加情報に基づいてECG-A〜ECG-Dの一覧表、ECG-A〜ECG-Dの識別子、ECG-A〜ECG-Dのバージョン情報、ECG-A〜ECG-Dの放送時刻情報からなる番組情報を生成している。
【００２９】
メタデータ生成装置１４及びコンテンツ情報生成装置１６は、放送コンテンツを構成するオブジェクト（コマーシャルメッセージＣＭ-Ａ〜ＣＭ-Ｄ／ECG-A〜ECG-D）の追加、削除、更新をオブジェクトの付加情報から検出し、オブジェクトの追加、削除、更新を番組情報を受信機にて生成するための番組情報に反映させる。具体的には、放送コンテンツにオブジェクトが追加された場合は、ECGメタデータ，伝送制御メタデータ，マニフェストファイル，FDTインスタンス，伝送制御メタデータのうちの複数あるいは一部のオブジェクト一覧に追加オブジェクトを追加し、追加オブジェクトの識別子、追加オブジェクトのバージョン情報、追加オブジェクトの放送時刻を記述する。また、コンテンツを構成しているオブジェクトの１つが削除された場合は、番組情報のオブジェクト一覧から削除対象オブジェクトを削除し、削除対象オブジェクトの識別子、削除対象オブジェクトのバージョン情報、削除対象オブジェクトの放送時刻を削除する。さらに、コンテンツを構成しているオブジェクトの１つが更新された場合は、番組情報の更新対象オブジェクトのバージョン情報を更新後のバージョン番号へ変更する。このように、コンテンツ情報生成装置１６は、番組情報を生成する番組情報生成手段として機能すると共に、オブジェクトの追加、削除、更新を番組情報に反映させる更新手段として機能する。
【００３０】
コンテンツ送出制御装置１２は、放送コンテンツを構成しているオブジェクトを、番組情報に記述されているオブジェクト放送時刻に送信する。このとき、当該オブジェクトは更新された新しいオブジェクトから順番に伝送することが望ましい。オブジェクトの送信順については後述する。
【００３１】
コンテンツ送出制御装置１２は、番組情報を所定の送信時刻に送信する。番組情報は、所定の時間間隔で定期的に送信しても良いし、予め定めた時間帯に送信しても良い。さらに、オブジェクトの追加、削除、更新等のようなイベント発生をトリガにして不定期に送信しても良い。また、番組情報は放送波で送信しても良いし、放送波以外の通信波で送信しても良い。または、メタデータ生成装置１４が生成する番組情報を放送波で送信し、コンテンツ情報生成装置１６が生成する番組情報を通信波で送信しても良い。あるいは，予め定めた時間帯が伝送制御メタデータにより事前に受信機へ通知されていても良い。
また、伝送制御メタデータとして番組情報を送る場合には、放送コンテンツの放送前に送出し、コンテンツ放送時に受信機は特定のオブジェクトの放送時刻にのみ受信することが可能になる。また、FDTインスタンスで番組情報を送る場合には、受信機はコンテンツ放送時にFDTインスタンスを受信し、FDTインスタンスから特定のオブジェクトの放送時刻を読み出し、その時刻に再び受信することで特定のオブジェクトを受信することが可能になる。特定のオブジェクト以外の放送時間は受信しないことで受信機の電力消費を抑えることができる。
【００３２】
図３は放送受信端末２０の構成図である。放送受信端末２０は、放送波を受信する放送波受信部２１、通信波を送受信する通信波送受信部２２を備えている。放送波受信部２１、通信波送受信部２２は、コンテンツ及び番組情報を受信する受信手段を構成する。放送波受信部２１は、地上デジタル放送波を受信する受信機能を有し、放送波送出装置１３Ａから送信された放送波を受信する。通信波送受信部２２は、放送波以外の通信波(例えば、携帯電話網，無線LAN，WiMAX，インターネット回線）を介して送受信する無線あるいは有線通信部を有し、コンテンツ送出制御装置１２から番組情報が送出される場合には当該番組情報を受信する。また、受信した放送コンテンツに欠損パケットが存在する場合に、コンテンツ送出装置１０に対して再送を要求する通信波を送出する一方、コンテンツ送出装置１０から通信波で再送されたパケットを受信する。
【００３３】
放送受信端末２０は、放送波受信部２１及び通信波送受信部２２での受信時刻を制御する制御手段としての機能を有する制御部２３を備える。制御部２３は、ＣＰＵ、ＲＡＭ、ＲＯＭ、その他集積回路（ＤＳＰ等）等のハードウエアで構成されていて、ＣＰＵがＲＡＭ又はＲＯＭに格納されたソフトウエアプログラムを読み込み、ハードウエアとソフトウエアプログラムとが協働して後述する制御機能を実現する。メモリ２４には、放送波受信部２１及び通信波送受信部２２が制御部２３の制御下で受信した放送コンテンツ（オブジェクト）及び番組情報が蓄積される。
【００３４】
制御部２３は、番組情報に記載される放送時刻に放送波受信部２１又は通信波送受信部２２でコンテンツを受信させる等の動作（起動タイミングを含む）を制御する。
【００３５】
また、制御部２３は、受信した番組情報から追加または更新されているオブジェクトの送信時刻を認識し、追加または更新されているオブジェクトの送信時刻に放送波受信部２１又は通信波送受信部２２でコンテンツを受信させる。
【００３６】
また、制御部２３は、受信した番組情報から削除されたオブジェクトを認識し、番組情報から削除されたオブジェクトをメモリから削除する。ユーザ入力部２６は、ユーザが希望する放送コンテンツを選択するためのコンテンツ選択用のユーザインタフェース機能を提供する。表示部２５とユーザ入力部２６とはタッチパネルのようにハードウエアとして一体化していても良い。表示部２５に番組情報を表示させた状態で、表示部２５上でユーザが番組情報から任意のコンテンツをタッチすると、選択したコンテンツ情報を制御部２３へ入力する。制御部２３は選択したコンテンツを番組情報表に記載されているオブジェクト送信時刻に放送波受信部２１を起動して受信する。
【００３７】
次に、以上のように構成された放送システムにおける動作について説明する。
放送コンテンツとして、複数のコマーシャルメッセージＣＭ-Ａ〜ＣＭ-Ｅから構成されている広告放送コンテンツを配信するものとする。メタデータ生成装置１４は、広告放送コンテンツを構成しているオブジェクト（複数のコマーシャルメッセージＣＭ-Ａ〜ＣＭ-Ｅ）の付加情報に基づいて番組情報を生成する。
【００３８】
図４は４月６日に配信する番組情報の構成例を示している。同図に示すように、広告放送コンテンツを構成している複数のコマーシャルメッセージＣＭ-Ａ〜ＣＭ-Ｅのオブジェクト一覧と、各オブジェクトとなるコマーシャルメッセージＣＭ-Ａ〜ＣＭ-Ｅの識別子、バージョン番号、及び放送時刻からなる番組情報を含んでいる。また、番組情報は、番組情報自体のバージョン番号（Version：2010.4.6  01:00）が付与されている。同図に示す番組情報によれば各オブジェクト（コマーシャルメッセージＣＭ-Ａ〜ＣＭ-Ｅ）は１日に３回放送されることになる。コンテンツ送出制御装置１２は、かかる番組情報を、当該番組情報の送信時刻として定められた2010.4.6  01:00にコンテンツ送出装置１０のメモリ（不図示）から読み出し、放送波送出装置１３Ａから放送送信する。または、通信波送出装置１３Ｂから通信波送信する。
【００３９】
また，番組情報には、各オブジェクトのURI情報を含み、伝送することも可能である。このURIは、伝送制御メタデータあるいはFDTインスタンス中にも記載される情報であり、ECGメタデータと実際のオブジェクトを結びつける役割を有する。
【００４０】
番組情報、バージョン情報、送信時刻、コンテンツのURI等を含む番組情報は、他の方法での伝送も可能である。例えば、同一セッション中のFDT  Instance中のFileContent-Location要素へ番組情報を含み、伝送することも可能である。この場合、Version情報は、FileContent-Location要素中のTOIのビット列（例えば、Version-ID-Length長をNbitとした場合、下位Nbit）へ含み，伝送することも可能である。
【００４１】
また、同様の情報をコンテンツとともに伝送されるマニフェストファイル、あるいは別セッションにて伝送される伝送制御メタデータ中へ含んで伝送することも可能である。
【００４２】
放送受信端末２０は、コンテンツ送出装置１０から番組情報が放送波により送信された場合、放送波受信部２１で番組情報を受信し、制御部２３の制御下でメモリ２４に格納する。または、コンテンツ送出装置１０が番組情報を通信波により送信した場合、通信波送受信部２２で番組情報を受信し、制御部２３の制御下でメモリ２４に格納する。
【００４３】
以上のようにして、放送受信端末２０には、コンテンツ送出装置１０によるコンテンツ配信に先立ち、当該コンテンツに関する番組情報が蓄積される。
【００４４】
一方で、コンテンツ送出装置１０は、図４に示す番組情報に記述された各オブジェクト（コマーシャルメッセージＣＭ-Ａ〜ＣＭ-Ｅ）の放送時刻になると、該当するオブジェクト（暗号化・符号化済み）を放送波送出装置１３から放送波送信する。たとえば、コマーシャルメッセージＣＭ-Ａであれば、４月６日の午前１０：００、午後１４：００、午後１８：００の３回にわたり放送を繰り返す。
【００４５】
放送受信端末２０は、コンテンツ配信前に事前に配信されている番組情報を保持している。制御部２３は、ユーザがユーザ入力部２６から受信希望を入力してきたコンテンツを記憶しておき、オブジェクトの送信時刻から受信スケジュールを決定して管理している。制御部２３は、番組情報に基づいて決定した受信スケジュールに基づいて各コンテンツの送信時刻に起動し、放送波受信部２１でオブジェクトを受信し、制御部２３の制御下でメモリ２４に格納する。番組情報のオブジェクト一覧に記述されているオブジェクトを各オブジェクト放送時間に順次受信する。たとえば、図４に示すように、コンテンツを構成している複数のオブジェクトの放送時刻が連続している場合には、放送受信端末２０が一度起動したら連続してオブジェクトを受信することができる。
【００４６】
このようにして、放送受信端末２０のメモリ２４には、図４に示す番組情報及び当該番組情報に対応した放送コンテンツが蓄積されたことになる。
【００４７】
図５は４月７日に配信する番組情報の構成例を示している。図４に示す４月６日に配信した番組情報の更新版である。同図に示すように、放送コンテンツからはコマーシャルメッセージＣＭ-Ｅが削除され、コマーシャルメッセージＣＭ-Ｄのバージョン番号が更新されている。番組情報自体のバージョン番号も変化している。この番組情報自体のバージョン番号は「Version：2010.4.7  01:00」に更新されている。
【００４８】
コンテンツ送出制御装置１２は、図５に示す更新された番組情報を、当該番組情報の送信時刻として定められた2010.4.7  01:00にコンテンツ送出装置１０のメモリ（不図示）から読み出し、放送波送出装置１３Ａから放送送信、又は通信波送出装置１３Ｂから通信波送信する。
【００４９】
放送受信端末２０は、コンテンツ送出装置１０から送信された更新されている番組情報を、放送波受信部２１又は通信波送受信部２２で受信し、制御部２３の制御下でメモリ２４に格納する。
【００５０】
制御部２３は、既に蓄積しているコンテンツと同一コンテンツに関する番組情報を受信すると、番組情報の差分を検出する。この場合であれば、コマーシャルメッセージＣＭ-Ｄのバージョン番号がアップされている点と、コマーシャルメッセージＣＭ-Ｅが削除されている点、コマーシャルメッセージＣＭ-Ｆが追加されている点が検出される。制御部２３は、番組情報から作成されるMD5等のハッシュ関数等を用いて、番組情報の更新を識別することも可能である。
【００５１】
制御部２３は、事前に受信したコンテンツ（オブジェクト）の放送時間・オブジェクトID・URI等を含む，番組情報（ECGメタデータ，伝送制御メタデータ，FDTインスタンス，マニフェストファイルの複数あるいはいずれか）と比較し，新たに受信した番組情報に従って蓄積しているコンテンツ（オブジェクト）の更新処理（オブジェクトの追加、削除、更新）を実施する。すなわち、オブジェクト一覧から削除されたコマーシャルメッセージＣＭ-Ｅは、メモリに蓄積されているコンテンツから削除する。また、追加または更新されたオブジェクトは新たに受信する。このために、制御部２３は、追加または更新されたオブジェクトの送信時刻を新たに受信した番組情報から取得して追加または更新されたオブジェクトの送信時刻をスケジュール管理する。制御部２３は、番組情報に基づいて追加、更新コンテンツの送信時刻になると起動して、放送波受信部２１で当該オブジェクトを受信し、制御部２３の制御下でメモリ２４に格納する。図５に示す番組情報の場合であれば、４月７日の午前１０：３０に起動してコマーシャルメッセージＣＭ-Ｄを受信し、コマーシャルメッセージＣＭ-Ｄに続いて放送されるコマーシャルメッセージＣＭ-Ｆを受信する。更新されたコマーシャルメッセージＣＭ-Ｄは古いバージョンのコマーシャルメッセージＣＭ-Ｄに上書きされ、追加されたコマーシャルメッセージＣＭ-Ｆはコンテンツに追加格納される。放送受信端末２０は４月７日には更新されたコマーシャルメッセージＣＭ-Ｄと、追加されたコマーシャルメッセージＣＭ-Ｆだけを受信すればよいので、１つでも更新されたオブジェクトが発生すればコンテンツを構成する全てのオブジェクトを受信し直すのに比べて、処理負荷が大幅に軽減される。
【００５２】
図６にオブジェクト（コンテンツ）の生成過程を示す。同図に示す例は、複数の番組情報オブジェクト(ECG)を放送コンテンツとしている。番組情報コンテンツが４つのECG１〜ECG4で構成されている。コンテンツ送出制御装置１２は、複数のオブジェクトECG１〜ECG4、これらオブジェクトECG１〜ECG4の番組情報となるマニュフェストファイル、FDTインスタンス、伝送制御メタデータを、異なるFULUTE（File  Delivery  over  Unidirectional  Transport）セッションで伝送する。FLUTEは、IETF（Internet  Engineering  Task  Force）で規定された通信プロトコル（RFC  3926）であり、片方向の伝送路（例えば，下り方向のみの伝送路）を用いてデータ配信を行うことが可能な通信プロトコルである。FDTインスタンスは、ALC（Asynchronous  Layered  Coding）で伝送するオブジェクトの詳細情報であり、コンテンツが伝送されるダウンロードセッションと同じセッションで伝送される。伝送制御メタデータは、Session  Description、Associated  Delivery  Procedure  Description等の種類を含む。Session  Descriptionは、ユーザサービスで使用するダウンロード伝送メソッド固有の情報を保持する。Associated  Delivery  Procedure  Descriptionは、ファイルキャスティングサービスでのコンテンツ伝送後に受信機が行う処理について規定するものである。ダウンロード伝送メソッドにてパケットの欠損を検出した場合のファイル修復手順や、ダウンロード伝送メソッドによるコンテンツ受信完了を報告する受信報告手順が含まれる。図６に示すように、FULUTEセッションで伝送するデータ（オブジェクト、FDTインスタンス、伝送制御メタデータ）には識別子（TOI=0〜TOI=５)が付与されている。
【００５３】
図７は，図６の実施例の変形例である。この例では、全てのオブジェクトが同一のセッションにて伝送される。
【００５４】
尚、図６および７では，伝送するオブジェクトがECGメタデータである場合の実施例である。上記したとおり、伝送するオブジェクトが広告オブジェクト（図２（ａ））であっても良いし、広告以外のオブジェクトであっても良い。
【００５５】
図８にコンテンツ送出装置１０における番組情報及びコンテンツ送信のための全体の処理フローを示す。オブジェクトの追加、削除、更新に対応して、ECGメタデータ、伝送制御メタデータ、マニュフェストファイル，FDTインスタンスを新規作成または更新し（ステップＳ１）、それぞれの送信時刻にECGメタデータ、伝送制御メタデータ、マニュフェストファイル，FDTインスタンスを放送波送信又は通信波送信する(ステップＳ２）。また、番組情報、伝送制御メタデータ、マニュフェストファイル，FDTインスタンスに記述したオブジェクト送信時刻に該当オブジェクト（コンテンツ）を送信する（ステップＳ３）。コンテンツ更新が発生すればステップＳ１へ移行し（ステップＳ４）、コンテンツ更新がなければ番組表送信時刻にステップＳ２へ移行する（ステップＳ５）。送信時刻になるまでステップＳ３へ移行する。
【００５６】
本実施の形態では、コンテンツ送出制御部１２が追加又は更新された最新のオブジェクトから順番に送信する。たとえば、図９に示す番組情報を３月１０日に放送受信端末２０が受信しているものとする。番組情報にはオブジェクト名、オブジェクトの識別子、伝送時にヘッダ等へ付与されるTOI（Transmission  Object  ID）、オブジェクトのバージョン情報、放送時間を示している。３月１０日の時点では、OBJ-Eは最も古く、順に、D,B,A,Cの順でオブジェクトが更新されていることがわかる。OBJ−Cは更新時刻が最も新しいため端末側で更新が必要となる可能性が高いため、図１０に示す通り、OBJ-Cから順にOBJ-Eまでを伝送する。これにより、放送受信端末２０の受信要求が最も高いと予想される更新（又は追加）されたオブジェクトから優先的に配信することができる。
【００５７】
図１１に放送受信端末２０における番組情報及びコンテンツ受信のための全体の処理フローを示す。コンテンツに関する番組情報、伝送制御メタデータ，あるいはマニフェストファイルを受信し（ステップＳ１１）、端末内部に既に蓄積されているコンテンツの属性情報（先に受信している番組情報を参照）と、今回受信した番組情報に記載されている属性情報（バージョン番号、識別子等）を比較する（ステップＳ１２）。対応するオブジェクトのバージョン番号からオブジェクトのバージョンアップが確認されれば（ステップＳ１３）、バージョンアップされているオブジェクトの送信時刻に基づいて受信予約し（受信スケジュール管理）、送信時刻に起動して受信する（ステップＳ１４）。
【００５８】
これにより、放送受信端末２０の低消費電力かを実現しつつ、効率的にコンテンツの更新を実施することが可能となる。
【産業上の利用可能性】
【００５９】
本発明は、複数のオブジェクトで構成されるコンテンツを配信する放送コンテンツ配信システムに適用可能である。
【符号の説明】
【００６０】
１０  コンテンツ送出装置
１１  暗号化・符号化装置
１２  コンテンツ送出制御装置
１３Ａ  放送波送出装置
１３Ｂ  通信波送出装置
１４  メタデータ（ECGメタデータ・伝送制御メタデータ）生成装置
１６  コンテンツ情報（FDTインスタンス・マニフェストファイル）生成装置
２０  放送受信端末
２１  放送波受信部
２２  通信波送受信部
２３  制御部
２４  メモリ
２５  表示部
２６  ユーザ入力部
【図１】
2011254410.tif 000003
【図２】
2011254410.tif 000004
【図３】
2011254410.tif 000005
【図４】
2011254410.tif 000006
【図５】
2011254410.tif 000007
【図６】
2011254410.tif 000008
【図７】
2011254410.tif 000009
【図８】
2011254410.tif 000010
【図９】
2011254410.tif 000011
【図１０】
2011254410.tif 000012
【図１１】
2011254410.tif 000013